(57)【要約】【課題】空調吹き出し口に取り付け、空調吹き出し口から吹き出される空調風を広く拡散させることによって、ダウンドラフトによる弊害を解消する空調吹き出し口の拡散板装置を提供する。【解決手段】断面が波形状からなる拡散板２と、前記拡散板を取り付ける取付具を備えたことを特徴とする空調吹き出し口の拡散板装置であって、拡散板の波形状の両端部が天井側に向かい、拡散板の波形状が左右対称であることが好ましく、また、前記の取付具に板バネ式取付具３を用いることが好ましい。【選択図】　　　図１
2004116969.tif 000002
【特許請求の範囲】
【請求項１】
空気調節装置の吹き出し口の下方に取り付け、前記の吹き出し口から吹き出された空調気流を拡散するための装置であって、断面が波形状からなる拡散板と、前記拡散板を取り付ける取付具を備えたことを特徴とする空調吹き出し口の拡散板装置。
【請求項２】
前記拡散板の波形状の両端部が天井側に向かって構成されてなることを特徴とする請求項１記載の空調吹き出し口の拡散板装置。
【請求項３】
前記拡散板の波形状が左右対称であることを特徴とする請求項１記載の空調吹き出し口の拡散板装置。
【請求項４】
前記取付具が板バネ式取付具であって、前記拡散板の片面に取り付けられた板バネ式取付具の両端を前記吹き出し口の先端部に着脱自在に掛止して取り付け可能な請求項１記載の空調吹き出し口の拡散板装置。
【発明の詳細な説明】
【０００１】
【発明の属する技術分野】
本発明は、空調吹き出し口に取り付け、空調吹き出し口から吹き出される空調風を広く拡散させることによって、ダウンドラフトによる弊害を解消する空調吹き出し口の拡散板装置に関する。
【０００２】
【従来の技術】
従来、オフィスなどの空調設備においては、細長い溝孔から風を吹き出すスロット型空調吹き出し口に取り付けられた羽の角度を変えて吹き出し風の角度を調整しているが、前記の羽は天井内にあるスロット型空調吹き出し口の内部に設置されているために、羽の角度によって風向きを変えられる範囲には限界がある。このためにダウンドラフトによる「冷え」や「のぼせ」と言うような身体の不調を引き起こす弊害を解消することはできず、やむを得ず吹き出し口に止め板を入れて対処することがある。しかし、吹き出し口に止め板を入れた場合、換気その他の空調機能が低下するばかりでなく、連動する他の吹き出し口の風が強くなり、二次的な弊害が発生する場合もあり問題であった。
【０００３】
一方、エアコンの可動吹き出し口に取り付ける着脱自在なエアコン用ウィングがある（特許文献１参照。）。この発明はエアコンの可動吹き出し口に取り付けるウィング板であるが、この板は平板を矩形に切断したものにすぎず、また、前記特許文献１の図４に示すように、ウィング板を天井と水平にした場合は、風は単純に水平方向に向かうだけであり、仮に天井方向乃至下向きに向けた場合は、空調風乃至反射した気流は風の進行方向にいる人に直接当たるので前記ダウンドラフトと同様な弊害は完全には解消できないものと考えられる。
【０００４】
【特許文献１】
登録実用新案３０５６４４７号公報（第１−５頁、第１−４図）
【０００５】
【発明が解決しようとする課題】
前記の問題点を解消するために、本発明は、吹き出し口を塞ぐことなく、ダウンドラフトを遮り、且つ空調効率の低下を最小限に止めるとともに、部屋の景観を損なうことなく見栄えがよく、ダウンドラフトによる前記のような弊害を解消する空調吹き出し口の拡散板装置を提供することを目的とする。
【０００６】
【課題を解決するための手段】
前記の課題を解決するために、本発明は、空気調節装置の吹き出し口の下方に取り付け、前記の吹き出し口から吹き出された空調気流を拡散するための装置であって、断面が波形状からなる拡散板と、前記拡散板を取り付ける取付具を備えたことを特徴とする空調吹き出し口の拡散板装置とする（請求項１）。
【０００７】
また、前記の課題を解決するために、本発明は、前記拡散板の波形状の両端部が天井側に向かって構成されてなることを特徴とする前記の空調吹き出し口の拡散板装置とすることが好ましい（請求項２）。
【０００８】
また、前記の課題を解決するために、本発明は、前記拡散板の波形状が左右対称であることを特徴とする前記の空調吹き出し口の拡散板装置とすることが好ましい（請求項３）。
【０００９】
また、前記の課題を解決するために、本発明は、前記取付具が板バネ式取付具であって、前記拡散板の片面に取り付けられた板バネ式取付具の両端を前記吹き出し口の先端部に着脱自在に掛止して取り付け可能な前記の空調吹き出し口の拡散板装置とすることが好ましい（請求項４）。
【００１０】
【作用】
請求項１記載の発明に係る空調吹き出し口の拡散板装置は、前記のように吹き出し口の下方に取り付け、図３に示すように、前記の吹き出し口から吹き出された空調風が拡散板の頂上部から谷部に向かって流れる吹降流、谷部から再上昇して吹上流となり、吹上流は天井に衝突して反射流となり、反射流は天井に沿って広く拡散される。前記の吹降流、吹上流、反射流からなる一連の風は波形状の曲面に沿って流れるので、風は単なる水平方向に拡散するだけではなく、上下方向にうねる様に拡散することによって、ソフトタッチな風に変化し刺激が和らげられる作用をなす。
【００１１】
請求項２記載の発明に係る空調吹き出し口の拡散板装置において、前記のように拡散板の波形状の両端部が天井側に向かって構成されているので、風は天井方向に向かって吹き付けられ、より広く拡散する作用をなす。
【００１２】
請求項３記載の発明に係る空調吹き出し口の拡散板装置において、前記のように拡散板の波形状が左右対称に構成されているので、拡散板の中央部を吹き出し口の中央に位置するように取り付ければ、風はほぼ左右均等に配分されて拡散し、部屋の温度を均一化する作用をなす。
【００１３】
請求項４記載の発明に係る空調吹き出し口の拡散板装置において、前記のように板バネ式取付具を備えているので、この板バネ式取付具の両アーム部を手で狭めてスロット型空調吹き出し口の内側に差し込んで手を放せば板バネの反発力でアーム部が広がり先端部が間隙に掛止して拡散板を簡単に取り付け、且つ、逆に操作することによって簡単に取外しができる。板バネ式なので、空調吹き出し口の溝幅やタイプが多少違っていても、対応が可能である。
【００１４】
【実施例】
以下、本発明の実施例について、図に基づいて説明する。図１は本発明の実施例に係る空調吹き出し口の拡散板装置を示す斜視図であり、図２は同じく本発明の実施例に係る空調吹き出し口の拡散板装置を示す側面図であり、図３は同じく本発明の実施例に係る空調吹き出し口の拡散板装置の使用状態における空調風の流れを示す概念図である。図において、１は空調吹き出し口の拡散板装置であり、拡散板２と板バネ式取付具３から構成される。
【００１５】
本実施例における拡散板２は、プラスチック製の波板であって、断面がアルファベットのＷ文字の角を丸く湾曲させた形状からなる。材質は特に限定されるものではないが、比較的耐熱性を有する軽量なプラスチックや軽金属等を用い、透明乃至着色することもでき、消防法に適合する難燃性乃至防炎性を備えたものが好ましい。また、拡散板２の断面は波形状で、左右対称且つ両端が天井方向の上向きであることが好ましい。そして波形状の頂上部には長さ方向の２箇所に金属性の板バネ式取付具３が螺子等の固定具９で固定されている。板バネ式取付具３は帯状の鋼製板をほぼＶ字状に折り曲げてなり、拡散板２の長さに応じて複数個設けられる。
【００１６】
使用例
スロット型空調吹き出し口には複数種類の異なるタイプがあり、図４〜図６は代表的なスロット型空調吹き出し口に拡散板装置を取り付けた状態を例示したものである。図４に示すスロット型空調吹き出し口は吹き出し口の先端部に掛止部分がついているタイプであり、この掛止部分に板バネ式取付具３の先端部を掛止して固定する。図５に示すスロット型空調吹き出し口は掛止部分がなく、化粧パネル８と吹き出し口５の間隙に掛止して固定する。図６示すスロット型空調吹き出し口は片方のみ掛止部分があるタイプで、この場合も化粧パネル８と吹き出し口５の間隙に掛止して固定する。このように板バネ式取付具３は各種の吹き出し口に対応が可能である。板バネ式取付具３以外の取付具によって天井に取り付けることもでき、また、落下防止のために紐等を併用して安全を期すことが好ましい。本実施例ではスロット型空調吹き出し口を例にして説明したが、スロット型空調吹き出し口以外にも広く利用が可能であることは言うまでもない。
【００１７】
【発明の効果】
本発明に係る空調吹き出し口の拡散板装置は、前記のように構成したことによって、オフィスなどの空調設備におけるダウンドラフトによる「冷え」や「のぼせ」と言うような身体の不調に関わる種々の弊害を解消し、部屋の景観を損なうことなく見栄えがよく、また、各種の空調吹き出し口に簡単に取付け、取り外しが可能であり、且つ、構造も極めて簡単なので故障もなく経済的にも優れた効果を奏する。
【図面の簡単な説明】
【図１】本発明の実施例に係る空調吹き出し口の拡散板装置を示す斜視図である。
【図２】本発明の実施例に係る空調吹き出し口の拡散板装置を示す側面図である。
【図３】本発明の実施例に係る空調吹き出し口の拡散板装置の使用状態における空調風の流れを示す概念図である。
【図４】本発明の実施例に係る空調吹き出し口の拡散板装置をスロット型空調吹き出し口に取り付けた状態を例示したものである。
【図５】本発明の実施例に係る空調吹き出し口の拡散板装置をスロット型空調吹き出し口に取り付けた状態を例示したものである。
【図６】本発明の実施例に係る空調吹き出し口の拡散板装置をスロット型空調吹き出し口に取り付けた状態を例示したものである。
【符号の説明】
１：空調吹き出し口の拡散板装置、２：拡散板、３：板バネ式取付具、４：羽、５：吹き出し口、６：天井、７：気流、８：化粧パネル、９：固定具
【図１】
2004116969.tif 000003
【図２】
2004116969.tif 000004
【図３】
2004116969.tif 000005
【図４】
2004116969.tif 000006
【図５】
2004116969.tif 000007
【図６】
2004116969.tif 000008